(57)【特許請求の範囲】
【請求項１】
光源と、前記光源からの光を照射すると共に床面に臨むように形成された照射面を有する筐体と、を備えた照明装置であって、
前記照射面に、法線方向が床面と略平行になった放射状のフラップからなるルーバを備え、
前記フラップは、前記光源からの光のうち、人体に対してメラトニンの分泌を抑制する作用を有する波長成分の光の透過を低減するフィルタであり、フラップ自体を貫通して水平に延びる支軸の周りで回転して、その法線方向が床面に略垂直方向になるように変更可能であり、
かつ、全てのフラップの法線方向が床面に略垂直方向になるときに、前記照射面の略全面が、フラップによって形成される一連の平面により覆われることを特徴とする照明装置。
【発明の詳細な説明】
【技術分野】
【０００１】
本発明は、照明光によるメラトニン分泌抑制作用を低減する照明装置に関する。
【背景技術】
【０００２】
従来から、照明光の光色は、人の生体リズムに影響を及ぼすことが知られている。例えば、就寝前の時間帯に、照明光の光色を電球のような赤みを帯びた色にすると、白色光や昼光色光と比べて脳に対する刺激が低減され、人の円滑な入眠を促すことができる。これに対して、照明光の光色を水銀灯のような青白い色にすると、脳に対する刺激が強まり、人の意識を覚醒することができる。これら照明光の光色が人の睡眠に与える影響は、脳の松果体から分泌されるメラトニンが深く関与していると考えられている。
【０００３】
メラトニンは、生活リズム等の違いにより個人差があるが、一般的には入眠前から睡眠初期にかけて多く分泌され、体温の低下や円滑な入眠を促進すると考えられている。また、メラトニンの分泌は、波長が４６４ｎｍ付近の光を受光するときにより強く抑制されることが知られている。従って、照明光から４６４ｎｍ近辺の波長成分をカットすることによりメラトニンの分泌抑制を低減して、人が就寝時に円滑に入眠できるようにすることができる。
【０００４】
ところが、４６４ｎｍ付近の波長成分をカットされた光は、青色波長成分が失われるので、照明光としては不自然な光色になる。そこで、比較的メラトニン分泌抑制効果が高く、光色への寄与率が低い波長４８０〜５０５ｎｍの平均光透過率を略３０％以下に制限する光フィルタを備えることにより、メラトニン分泌抑制を防止しつつ、照明光を比較的自然な色に保つことができる照明装置が知られている（例えば、特許文献１参照）。
【特許文献１】特開２００６−２５９０７９号公報
【発明の開示】
【発明が解決しようとする課題】
【０００５】
しかしながら、上記特許文献１に示された照明装置では、照射面の全体が青色波長成分の透過を制限するフィルタによって覆われるので、照明光の色が自然の色とは異なって見えると共に（黄色味を帯びて見える）、当該照明装置を設置した部屋全体がそのような光色で照明され、例えば、人が当該照明装置の下で読書等の視作業を行うには適していない。
【０００６】
そこで、本発明は、上記課題を解決するものであり、照明光の下で視作業を行うときには視対象が自然な色に見えて人の作業性を損なうことがなく、しかも視作業を行っていない人に対してはメラトニンの分泌を抑制する波長の光が到達せず、円滑に入眠できるようにする照明装置を提供することを目的とする。
【課題を解決するための手段】
【０００７】
上記目的を達成するために、請求項１の発明は、光源と、前記光源からの光を照射すると共に床面に臨むように形成された照射面を有する筐体と、を備えた照明装置であって、前記照射面に、法線方向が床面と略平行になった放射状のフラップからなるルーバを備え、前記フラップは、前記光源からの光のうち、人体に対してメラトニンの分泌を抑制する作用を有する波長成分の光の透過を低減するフィルタであり、フラップ自体を貫通して水平に延びる支軸の周りで回転して、その法線方向が床面に略垂直方向になるように変更可能であり、かつ、全てのフラップの法線方向が床面に略垂直方向になるときに、前記照射面の略全面が、フラップによって形成される一連の平面により覆われることを特徴とする。
【発明の効果】
【００１１】
請求項１の発明によれば、光の照射面に放射状のフラップからなるルーバを備え、該フラップがメラトニンの分泌を抑制する光の透過を低減するフィルタに構成されるので、照射面の直下方向には、光源からの光が直接的に照射されて、人の視作業の作業性を損なうことがない。また、照射面の直下方向から外れた方向（光が直接眼に入る方向）には、放射状のフラップによってメラトニンの分泌を抑制する作用を有する波長成分が低減された光が照射されるので、人体に対してメラトニンの分泌を抑制せず、人の円滑な入眠を妨げない。
【発明を実施するための最良の形態】
【００１３】
（第１の実施形態）
以下、本発明の第１の実施形態に係る照明装置について、図１及び図２を参照して説明する。本実施形態の照明装置１は、光源２と、光源２からの光を照射すると共に床面Ｆに臨むように形成された照射面３を有する筐体４とを備える。また、照明装置１は、照射面３に環状のフラップ５からなるルーバ６（図２参照）を備え、フラップ５は、光源２からの光のうち、人体に対してメラトニンの分泌を抑制する作用を有する波長成分の光の透過を低減するフィルタに構成されている。ルーバ６の構造については後に詳述する。照明装置１は、通常、天井Ｃに埋め込まれ、床面Ｆ方向に光を照射する埋め込み式照明器具に適用される。なお、図中の実線矢印は、光源２から出射された直接光Ｌ１を示し、点線矢印及び一点鎖線矢印は、フラップ５を透過した光Ｌ２を示す。
【００１４】
光源２には、汎用の光源が用いられ、例えば、環状蛍光灯、電球型蛍光灯、ハロゲンランプ、白熱灯、ＬＥＤ等が用いられる。また、光源２は、発光色の異なる複数のＬＥＤを配置し、各ＬＥＤを適宜に調光制御することにより任意の色の光を出射可能としたものであってもよい。
【００１５】
筐体４は、略円筒状の構造材から成り、筐体４の天井Ｃ面と接する面が照射面３となるように形成される。筐体４の材料には、例えば、アルミニウム合金等の金属又はポリカーボネイトやＰＰＳ等の樹脂材料が用いられる。なお、筐体４は、その形状や寸法は特に限定されないが、好ましくは汎用の埋込型照明器具と同程度の埋込穴寸法及び器具埋込高になるように設計される。
【００１６】
ルーバ６は、図２に示されるように、直径が異なる８つの環状フラップ５が同心円上に配置されて構成され、各環状フラップ５はフラップ面５ａの法線方向（矢印ｒ１）が床面Ｆと略平行になるようにして筐体４の照射面３に固定されている。環状フラップ５同士は、フラップ面５ａを放射状に貫通するステー７によって連結され、ステー７の外側端が筐体４に固定される。
【００１７】
各環状フラップ５は、例えば、橙色系蛍光着色材料を含有させた透光性樹脂から成り、上下方向の幅ｗ（図１参照）は、フラップ５の下端が天井Ｃ面よりも僅かに突出し、ルーバ６の略全体が筐体４内に収納される範囲内で可能な限り大きく設計される。環状フラップ５の幅ｗが大きく設計される理由については、後述する。
【００１８】
フラップ５の下端が天井Ｃ面よりも大きく下方へ突出する場合にはフラップ５自体の色が目立って天井Ｃの色バランスを崩す虞があるが、突出量を極力小さくすることによって、そのような不具合を回避することができる。同様な理由により環状フラップ５の下端部に天井Ｃ面と調和する色を塗布することも有効である。
【００１９】
また、環状フラップ５は、光源２から出射される光のうち、人体に対してメラトニンの分泌を抑制する作用を有する波長成分、好ましくは波長４６０ｎｍ近傍の波長成分の透過を低減するように構成されている。
【００２０】
さらに、環状フラップ５の主要な構成材である透光性樹脂には、透光性を有する樹脂であれば特に限定されず、適宜に公知の材料が使用される。その例としては、アクリル系樹脂、ポリスチレン樹脂、塩化ビニル樹脂、ポリ乳酸樹脂、シリコン樹脂、不飽和ポリエステル樹脂等が挙げられ、これらを単独又は２種以上組み合わせて用いてもよい。好ましくは、透光性、耐候性に優れ、幅広い用途に適用可能なアクリル系樹脂が用いられる。
【００２１】
以下、本実施形態の照明装置１の作用について図１を参照して説明する。上述のように、照明装置１の照射面３には、法線方向ｒ１が床面Ｆと平行になった環状フラップ５からなるルーバ６が備えられ、該フラップ５が人体に対してメラトニンの分泌を抑制する作用を有する波長成分の光を低減するフィルタに構成されているので、光源２から直下方向へ向かう光は、環状フラップ５を通過せず直接光Ｌ１となり、所定の角度傾斜した方向へ向かう光は環状フラップ５を透過した光Ｌ２となる。なお、後における説明の都合上傾斜角度θが比較的小さい光Ｌ２は点線矢印で示し、傾斜角度θが比較的大きい光Ｌ２は一点鎖線矢印で示す。
【００２２】
直接光Ｌ１は、環状フラップ５（フィルタ）を透過していないので光源２の光（例えば、白色光）の演色性がそのまま維持される。そのため、例えば、ユーザＰ１が、照射面３０の下方位置にテーブルＴを置いて、テーブルＴ上で書籍Ｂを読むといった視作業をするときに、色識別性を低下させず、ユーザＰ１の作業性を損なわない。また、直接光Ｌ１は、メラトニンの分泌を抑制する波長成分の光を含み人が円滑に入眠することを妨げるが、進行方向が略直下方向のみであるので、視作業を行っておらず視線の方向が水平方向乃至若干下方を向いたユーザＰ２の目に直接入射することがない。
【００２３】
一方、環状フラップ５を透過した光Ｌ２の一部は、垂直から所定の角度θ傾斜した方向へ進行するので視作業を行っていないユーザＰ２の目に直接入射するが、環状フラップ５によってメラトニンの分泌を抑制する波長成分の光を低減されているので、ユーザＰ２に与える刺激が少なく、ユーザＰ２の円滑な入眠を妨げることがない。なお、光源２から出射された光のうち垂直からの傾斜角度θが大きい光Ｌ２（一点鎖線矢印）は、ユーザＰ２の目に直接入射し易くなるが、傾斜角度が大きいために環状フラップ５を複数回透過することになり、メラトニンの分泌を抑制する波長成分の光がより大きく低減され、ユーザＰ２に与える刺激は少ない。以上の理由により環状フラップ５の幅ｗが大きい方が、同一の傾斜角度θで出射される光に対して多くの透過回数を与えることができて有利である。
【００２４】
（第２の実施形態）
次に、本発明の第２の実施形態に係る照明装置について、図３及び図４を参照して説明する。本実施形態の照明装置１は、第１の実施形態に対してルーバ６の構成のみが異なり、他の構成は同一である。図３は本実施形態におけるルーバ２６の斜視図を示す。
【００２５】
本実施形態のルーバ２６は、放射状方向に延び均等の角度間隔で配置された多数枚（本例では１２枚）の長方形フラップ２５から構成されている。各フラップ２５はフラップ面２５ａの法線方向（矢印ｒ２）が床面Ｆと略平行になるようにして筐体４の照射面３に支持されており、光源２からの光のうち、人体に対してメラトニンの分泌を抑制する作用を有する波長成分の光の透過を低減するフィルタに構成されている。各フラップ２５の主要な構成材である透光性樹脂は、第１の実施形態と同様に透光性を有する樹脂であれば特に限定されず、適宜に公知の材料が使用される。
【００２６】
各フラップ２５は、図４に示されるように、フラップ面２５ａの中心を通って水平に延びる支軸２１を有し、該支軸２１を介して両端が筐体４に支持されている。具体的には、支軸２１の一端２１ａが筐体４の中心位置に固定された中央支持部材２２の軸受け２３に支持され、支軸２１の他端２１ｂが筐体４の外周に固定された環状支持部材２４の軸受け２７に支持されている。従って、本実施形態の照明装置１では、各フラップ２５が水平な支軸２１の周りで回動自在になっており（図３の矢印ｔ）、ユーザが手動で各フラップ面２５ａの向き（法線ｒ２の向き）を任意に調整できるようになっている。
【００２７】
次に、本実施形態の作用について図３を参照して説明する。本実施形態の照明装置１の作用も第１の実施形態の作用と略同様であって、光源２から直下方向へ向かう光は、フラップ２５を通過せず直接光Ｌ１となり、所定の角度傾斜した方向へ向かう光はフラップ２５を透過した光Ｌ２となる。直接光Ｌ１は、フラップ２５（フィルタ）を透過していないので光源２の光（例えば、白色光）の演色性がそのまま維持され、ユーザＰが視作業をするときに、色識別性を低下させず、ユーザＰの作業性を損なわない。また、直接光Ｌ１は、メラトニンの分泌を抑制する波長成分の光を含み人が円滑に入眠することを妨げるが、進行方向が略直下方向のみであるので、ユーザＰの目に直接入射することがない。
【００２８】
一方、フラップ２５を透過した光Ｌ２の一部は、垂直から所定の角度傾斜した方向へ進行するのでユーザＰの目に直接入射するが、フラップ２５によってメラトニンの分泌を抑制する波長成分の光を低減されているので、ユーザＰに与える刺激が少なく、ユーザＰの円滑な入眠を妨げることがない。
【００２９】
また、各フラップ２５はその向きが調整可能であるので、例えば、ユーザＰが視作業を終えたときには、手動で各フラップ２５の向きをその法線方向ｒ２が床面Ｆに対して垂直に近くなるように（フラップ面２５ａが水平に近づくように）調整し、光源２から床面Ｆへ向けて出射される光のうち大部分がフラップ２５を透過し、メラトニンの分泌を抑制する波長成分の光を低減されるようにできる。この場合には、当該照明装置１の直下位置においても刺激の少ない光で照明されるようになり、ユーザがより円滑に睡眠に移行できる環境とすることができる。
【００３０】
（第３の実施形態）
次に、本発明の第３の実施形態に係る照明装置について、図５乃至図８を参照して説明する。本実施形態の照明装置１も、第１の実施形態に対してルーバの構成のみが異なり、他の構成は同一である。図５は本実施形態におけるルーバ３６の全体斜視図を示す。
【００３１】
本実施形態のルーバ３６は、放射状方向に延び均等の角度間隔で配置された多数枚（本例では１２枚）の細長い台形のフラップ３５から構成されている。各フラップ３５は、第１及び第２の実施形態と同様に、フラップ面３５ａの法線方向（矢印ｒ３）が床面Ｆと略平行になるようにして筐体４の照射面３に支持されており、光源２からの光のうち、人体に対してメラトニンの分泌を抑制する作用を有する波長成分の光の透過を低減するフィルタに構成されている。各フラップ３５の主要な構成材である透光性樹脂は、第１の実施形態と同様に透光性を有する樹脂であれば特に限定されず、適宜に公知の材料が使用される。
【００３２】
各フラップ３５は、図６に示されるように、フラップ面３５ａの中心を通って水平に延びる支軸３１を有し、該支軸３１を介して両端が筐体４に支持されている。具体的には、支軸３１の一端３１ａが筐体４の中心位置に固定された中央支持部材３２の軸受け３３に支持され、支軸３１の他端３１ｂが筐体４の外周に固定された環状支持部材３４の軸受け３７に支持されている。従って、本実施形態の照明装置１も、第２の実施形態と同様に、各フラップ３５が水平な支軸３１の周りで回動自在になっている（図５の矢印ｔ）。
【００３３】
本実施形態のルーバ３６では、全てのフラップ３５の向きを連動して変化させる駆動機構４１がさらに備えられている。以下、フラップ３５の向き調整用の駆動機構４１について図６及び図７を参照して説明する。フラップ３５の向き調整用の駆動機構４１は、フラップ３５の各支軸３１の一端３１ａに固定されたピニオンギヤ４２と、ピニオンギヤ４２に噛み合う下向きのラック部４３ａが形成されたリング状の回動部材４３と、回動部材４３の上面に形成されたラック部４３ｂに噛み合うモータ４４の軸に固定されたピニオンギヤ４５と、モータ４４の回転を制御する制御装置４６と、を備える。また、制御装置４６には赤外線受光部４７が受信したリモコン４８からの操作信号が入力されるようになっている。
【００３４】
ユーザがリモコン４８を操作してモータ４４を所定量回転させることによって回動部材４３が図７の矢印ａ方向に沿って回動し、下向きのラック部４３ａにピニオンギヤ４２を介して係合された各フラップ３５の支軸３１が回転する。各支軸３１が回転することによって全てのフラップ３５の向きが連動して変化する（図５の矢印ｔ）。
【００３５】
次に、本実施形態の作用について図５及び図８（ａ）、（ｂ）を参照して説明する。本実施形態の照明装置１の作用も第１の実施形態の作用と略同様であって、光源２から直下方向へ向かう光は、フラップ３５を通過せず直接光Ｌ１となり、所定の角度傾斜した方向へ向かう光はフラップ３５を透過した光Ｌ２となる。直接光Ｌ１は、フラップ３５を透過していないので光源２の光の演色性がそのまま維持され、ユーザＰが視作業をするときに、色識別性を低下させず、ユーザＰの作業性を損なわない。また、直接光Ｌ１は刺激が強く人が円滑に入眠することを妨げるが、進行方向が略直下方向のみであるので、視作業を行っていないユーザＰの目に直接入射することがない。
【００３６】
フラップ３５を透過した光Ｌ２の一部は、垂直から所定の角度傾斜した方向へ進行するのでユーザＰの目に直接入射するが、フラップ３５によってメラトニンの分泌を抑制する波長成分の光を低減されているので、ユーザＰに与える刺激が少なく、ユーザＰの円滑な入眠を妨げることがない。
【００３７】
また、各フラップ３５は、第２の実施形態とは異なり、細長い台形状であるので、前述のようにリモコン４８を操作することによって全てのフラップ３５の向きを連動して調整し、フラップ面３５ａが略水平になるようにしたときには、フラップ面３５ａが重なり部のない一連の平面を形成し、照射面３の略全面がフラップ３５によって覆われた状態にすることができる。図８（ａ）は、全てのフラップ３５の法線ｒ３が床面Ｆと平行になった状態のルーバ３６を示し、図８（ｂ）は全てのフラップ３５の法線ｒ３が床面Ｆと垂直になった状態のルーバ３６を示す。
【００３８】
以上のように、本実施形態の照明装置１では、ユーザＰがリモコン４８を操作することによって、全てのフラップ３５を、その法線ｒ３の向きが床面Ｆに対して平行になった状態と、床面Ｆに対して垂直になった状態とに容易に切替えることができる。前者の状態では、ユーザＰが照明装置１の下で視作業を行うときの作業性を損なうことなく、しかも円滑な入眠を妨げることがない。後者の状態では、照明装置１の下方位置でも光刺激が少ないので、ユーザがより円滑に睡眠に移行できる環境とすることができる。
【図面の簡単な説明】
【００３９】
【図１】本発明の第１の実施形態に係る照明装置の構成及び動作例を示す図。
【図２】同照明装置におけるルーバの斜視図。
【図３】本発明の第２の実施形態に係る照明装置のルーバの斜視図。
【図４】同照明装置におけるフラップの支持構造を示す図。
【図５】本発明の第３の実施形態に係る照明装置のルーバの斜視図。
【図６】同照明装置におけるフラップの支持構造及び向き調整用の駆動機構を示す図。
【図７】同照明装置におけるフラップの向き調整用の駆動機構を示す斜視図。
【図８】（ａ）は同照明装置における全フラップの法線が床面と平行になった状態のルーバの下面図、（ｂ）は全フラップの法線が床面と垂直になった状態のルーバの下面図。
【符号の説明】
【００４０】
１  照明装置
２  光源
３  照射面
４  筐体
５  環状のフラップ（フィルタ）
６  ルーバ
２５  放射状のフラップ（フィルタ）
２６  ルーバ
３５  放射状のフラップ（フィルタ）
３６  ルーバ
Ｆ  床面
ｒ１、ｒ２、ｒ３  法線
【図１】
0005138400.tif 000002
【図２】
0005138400.tif 000003
【図３】
0005138400.tif 000004
【図４】
0005138400.tif 000005
【図５】
0005138400.tif 000006
【図６】
0005138400.tif 000007
【図７】
0005138400.tif 000008
【図８】
0005138400.tif 000009